(57)【要約】【課題】本発明は、腰周り部分を不要とすることにより背中が大きく開いたドレスや生地の薄いドレス、あるいはフィットパンツの着用を可能とするショーツを提供することを目的とするものである。【解決手段】本発明のショーツは、その内側方向への付勢力により下腹部から股下を通り、尻穴を覆着する長さを有する芯部材２と、前記芯部材２が収納される芯部材収納袋体３とから構成される。【選択図】図１
2008253415.tif 000002
【特許請求の範囲】
【請求項１】
その内側方向への付勢力により下腹部から股下を通り、少なくとも尻穴を覆着する長さを有する芯部材を備える
ことを特徴とするショーツ。
【請求項２】
前記芯部材が合成樹脂素材あるいは金属製による形状記憶部材より形成される
ことを特徴とする請求項１記載のショーツ。
【請求項３】
前記芯部材が弾性部材により形成される
ことを特徴とする請求項１記載のショーツ。
【請求項４】
前記芯部材の下腹部側が環形状に形成される
ことを特徴とする請求項１，２または３記載のショーツ。
【請求項５】
前記芯部材の下腹部側および臀部側が環形状に形成される
ことを特徴とする請求項１，２または３記載のショーツ。
【請求項６】
前記芯部材が芯部材収納袋体により収納される
ことを特徴とする請求項１，２、３、４または５記載のショーツ。
【請求項７】
前記芯部材収納袋体の下腹部側端に腰紐が取り付けられる
ことを特徴とする請求項６記載のショーツ。
【請求項８】
前記芯部材収納袋体をメッシュ生地により形成する
ことを特徴とする請求項６または７記載のショーツ。
【請求項９】
前記芯部材の環状部内に、サポートを覆着する
ことを特徴とする請求項４記載のショーツ。
【請求項１０】
前記サポートの中央上下方向に該サポートを開口するジッパーを設ける
ことを特徴とする請求項９記載のショーツ。
【発明の詳細な説明】
【技術分野】
【０００１】
本発明は、ショーツに関する。詳しくは腰周り部分を不要とすることにより大胆なドレスの着用が可能なショーツに係るものである。
【背景技術】
【０００２】
従来の一般的なショーツ１０１は、例えば図１５に示すように、少なくとも一端部を広幅とし、中間部又は他端部が細幅となるようになだらかな湾曲部を持ってデザイン性並びに人体に即応した形状に編成された編地１０２を用い、前記編地の幅方向の両エッジ部１０３の少なくとも一部を、当為両エッジ部１０３以外の部分に比較して伸縮性又は剛性が相対的に高くなるように構成される（特許文献１参照。）。
【０００３】
【特許文献１】特開２００４−１９０１１号公報（要約書、第１図）
【発明の開示】
【発明が解決しようとする課題】
【０００４】
しかしながら近頃のファッションでは例えば図１６に示すように、背中からお尻に向けて大きく開いたドレス１０４があり、このようなドレス１０４を着用した場合にはお尻の一部が露出することになる。
【０００５】
このような場合では、ショーツ１０１の腰周り部分が見えることになり、背中が大きく開いたドレス１０４を十分に生かしきることができなくなる問題がある。
【０００６】
また、生地の薄いドレスやフィットパンツを着用した場合には、ショーツのエッジ部分や腰周り部分が浮き出ることが多く、大胆なファッションを楽しむことができない問題がある。
【０００７】
本発明は、以上の点に鑑みて創案されたものであって、腰周り部分を不要とすることにより背中が大きく開いたドレスや生地の薄いドレス、あるいはフィットパンツの着用を可能とするショーツを提供することを目的とするものである。
【課題を解決するための手段】
【０００８】
上記の目的を達成するために、本発明に係るショーツは、その内側方向への付勢力により下腹部から股下を通り、少なくとも尻穴を覆着する長さを有する芯部材を備える。
【０００９】
ここで、前記芯部材はプラスチックや金属製の形状記憶部材、あるいはゴムによる弾性部材によって内側方向への付勢力が作用するように形成されるものであり、この付勢力によって下腹部から股下を通り尻穴から尾?骨付近までを覆着することが可能となる。
【００１０】
また、この芯部材を肌に馴染む綿や絹などの繊維生地より形成される芯部材収納袋体に収納し、身体の下腹部より股下を通り、尻穴を隠すように密着させることによって腰周り部分が不要となり、背中から臀部に向けて開口されたドレスの着用が可能となる。
【００１１】
また、前記芯部材に空間部を設けるとともに、前記芯部材収納袋体をメッシュ生地により形成することにより、夏のように蒸し暑い季節であっても、風通しが良くなるために蒸れなく着心地の良いショーツとなる。
【００１２】
また、前記芯部材が着用前には芯部材収納袋体とともに曲回状に丸められた形態とされることにより携帯用として活用することができる。
【発明の効果】
【００１３】
本発明のショーツによれば、使用前は小さく丸まって持ち運びに便利であるとともに、着用時には下腹部から股下を通り尻穴までを密着する構成とすることにより、例えば背中から臀部に向けて大きく開いたドレスを着用した場合でも従来のショーツのように腰周り部分が露出しないこととなりファション性を損なうことがない。
【００１４】
また、着物やパンツの着用時にはショーツの外郭線が浮き出ることがなく、ファション性を損ねることがない、更にショーツの着脱が非常に容易に行うことができるためにトイレにおいてスムーズに用を足すことが可能となる。
【００１５】
また、ショーツにビーズや宝石等を通した腰紐を付けることによってアクセサリーとして活用することができるとともに、ファッション性をより一層高めることが可能となる。
【発明を実施するための最良の形態】
【００１６】
以下、本発明の実施の形態を図面を参酌しながら説明し、本発明の理解に供する。
図１（イ）（ロ）に、本発明を適用したショーツの一例を説明するための斜視図を示す。
【００１７】
ここで示すショーツ本体１は、芯部材２とこの芯部材２を被包する芯部材収納袋体３とから構成されるものである。
【００１８】
そこで前記芯部材２は、可撓性を有する形状記憶プラスチック素材より形成されるものであり、この芯部材２は図２に示すように、下腹部Ｅから股下を通り尾?骨Ｆまでの長さとし、かつ下腹部Ｅを押えるハート形状の下腹部押さえ部４が一端側に形成されるものである。
【００１９】
また、前記芯部材収納袋体３は、前記芯部材２の形状に模した袋体であり、肌に直に触れるために吸湿性のあるタオル生地、綿素材や肌触りの優れた絹素材や合成繊維を使用する。さらに、ファッション性を高めるために、下腹部分の芯部材収納袋体３の周縁にフリル５を縫付けたり、芯部材収納袋体３面に刺繍を形成した構成とするものである。
【００２０】
したがって、平坦な状態のショーツ本体１を股下に通して下腹部側へ折り曲げるようにすることにより形状記憶プラスチック素材より形成される芯部材２が体の線に沿った形状に折り曲がりズレ落ちることなく下腹部への着用が可能となる。
【００２１】
また、図３（イ）（ロ）でそれぞれ示すように、前記芯部材収納袋体３の下腹部側一端に、腰紐６が連結されるものであり、この腰紐６は、図３（イ）で示すように紐状や図３（ロ）に示すように紐に真珠、あるいは宝石やビーズなどを通してファション性を高めた構成とするものである。
【００２２】
この場合には、前記芯部材収納袋体３の先端両側にリング部１０を縫付け、このリング部１０に腰紐６の一端に取付けたフック部１１を係止させることにより腰紐６の着脱や取替えが自在に行える構成とするものである。
【００２３】
次に、図４（イ）（ロ）にそれぞれに示すのは、芯部材２をゴムなどの弾性部材より形成した場合のショーツの一例を示す説明図である。
ここで示す芯部材２は、内側に曲回された状態でのゴム体を前記実施例１の図２において上述したように、下腹部Ｅから股下を通り尾?骨Ｆまでの長さとし、かつ下腹部Ｅを押えるハート形状の下腹部押さえ部４が一端側に形成されるものである。
【００２４】
そしてゴム体より形成される芯部材２は、常に内側に曲回される弾性力が生じるような構成とし、この芯部材２をその中央に沿ってジッパー７が装着される芯部材収納袋体３によって被包するものである。
【００２５】
また、前記芯部材収納袋体３は、ジッパー７によって着脱自在な構成とされることにより多種多様な色彩、あるいは生地のものを自由に選択することができるとともに、芯部材収納袋体３を取外して洗濯することができる。
【００２６】
なお、図５に示すように、前記ゴム体の芯部材２内に内側に曲回される弾性力が付与されるバネ板８を埋設することにより芯部材２の収縮と、拡げるときの弾性力によって下腹部への着用が確実に行えることになる。
【００２７】
次に、図６（イ）（ロ）にそれぞれ示すのは夏用のショーツ本体の一例を示す説明図である。
ここで示す芯部材２は、内側に曲回される弾性力を有するゴム体を前記実施例１の図２において上述したように、下腹部Ｅから股下を通り尾?骨Ｆまでの長さとし、かつ下腹部Ｅを押えるハート形状の下腹部押さえ部４が一端側に形成されるものである。
【００２８】
そして前記芯部材２の内部を切り抜いて空洞部１２を形成するものであり、この芯部材２をジッパー７が設けられるメッシュ素材より形成される芯部材収納袋体３内に収納する構成とするものである。
【００２９】
したがって、風通しの良いメッシュ素材より形成される芯部材収納袋体３と空洞部１２が形成される芯部材２との組合せによって地肌への空気の流通が可能となり、梅雨時や夏などの湿気の多い時期に蒸れることなく快適な着用が可能となる。
また、前記生地袋体３はジッパー７によって容易に取外して芯部材２と共に洗濯することができる。
【００３０】
また、図７（イ）（ロ）は前記図６における芯部材の他の形態を示す説明図であり、ここで示す芯部材２は、内側に曲回される弾性力を有するゴム体を下腹部から股下を通り尾?骨までの長さとし、かつ下腹部を押えるハート形状の下腹部押さえ部４が一端側に形成されるとともに、その内部がメッシュ１３に形成される。
【００３１】
このような形態の芯部材２を、上述してきた芯部材収納袋体３によって被包することによって風通しの良いショーツ本体１を構成することが可能となる。
【００３２】
図８（イ）（ロ）（ハ）で示すように、芯部材２は、図８（イ）で示すように内側に曲回される弾性力を有するゴム体、あるいはゼンマイバネのような付勢力を有するバネ体が内包されるとともに、下腹部から股下を通り尾?骨までの長さとし、かつ下腹部を押えるハート形状の下腹部押さえ部４が一端側に形成されると共に、前記芯部材２の他端は尾?骨の窪みに嵌まるような半球面形状とされるものである。
【００３３】
そして図８（ロ）で示すように、下腹部押さえ側に芯部材挿入口１５が設けられた芯部材収納袋体３に、前記芯部材２を収納するものであり、この芯部材収納袋体３の股下部分は幅広に形成されることにより初心者、あるいは生理時にナプキン等を載せることができるものとする。更に、前記芯部材収納袋体３の下腹部押さえ側端にはリング１０を縫い付けて腰紐６を任意に取り付けることができる構成とするものである。
【００３４】
ここで図８（ハ）で示すように、このようなショーツ本体１を着用した場合には、芯部材２の他端が尾?骨Ｆの窪み部分に達し、この窪み部分に嵌まり込むことによって安定した着用が可能となる。
【００３５】
図９（イ）（ロ）は、初心用、あるいは生理用としての芯部材の一例を示す説明図である。
ここで示す芯部材２は、図９（イ）で示すように内側に曲回される弾性力を有するゴム体や記憶合成樹脂などを下腹部から股下を通り臀部までの長さとし、その両側にハート形状の下腹部押され部４および臀部押さえ部１４が形成された構成とするものである。
【００３６】
そこで、初心用としては前記芯部材２の股下部分の幅を約３ｃｍとし、また、生理用としては前記芯部材２の股下部分の幅を約５ｃｍとすることが望ましい。そしてこの前記芯部材２は、図９（ロ）で示すように、股下部分が幅広である芯部材収納袋体３内に収納することとする。
【００３７】
また、生理用として使用する場合には、図１０（イ）（ロ）でそれぞれ示すように、前記芯部材２上にナプキンＡを載せて着用するか、あるいは芯部材２が収納される芯部材収納袋体３上にナプキンＡを載せて着用する構成とするものである。
【００３８】
なお、前記初心用、あるいは生理用としての芯部材２に対応する芯部材収納袋体３はジッパーなどによって開閉自在な構成とし、かつ生地としては洗濯可能なメッシュやタオル生地により形成されるものであっても構わない。
【００３９】
また、図１１（イ）（ハ）は、前記図９の他の形態を示すものであり、芯部材２は、図１１（イ）で示すように８字形状に形成されるとともに、内側に曲回される弾性力を有するゴム体やバネ体を合成樹脂などによって被覆され、その長さを下腹部から股下を通り臀部までとし、その両側にハート形状の下腹部押され部４および臀部押さえ部１４が形成された構成とするものである。
【００４０】
そして図１１（ロ）で示すように、その中央付近に芯部材挿入口１５が設けられた芯部材収納袋体３に、前記芯部材２を収納するものであり、この芯部材収納袋体３の股下部分は幅広に形成されることにより初心者、あるいは生理時にナプキン等を載せることができるものとする。更に、芯部材収納袋体３に収納される前の芯部材２は図１１（ハ）で示すようにその付勢力によって球形状に丸め込まれた状態となっており、この状態より押し広げた状態で前記芯部材収納袋体３内に収納するものである。
【００４１】
次に、男性用のショーツの一例を図１２に示すものであり、内側に曲回される弾性力を有するゴム体、あるいはゼンマイバネのような付勢力を有するバネ体が内包されるとともに、下腹部から股下を通り尾?骨までの長さとし、かつ下腹部を押える環形状の下腹部押さえ部４が一端側に形成されると共に、前記芯部材２の他端は尾?骨の窪みに嵌まるような半球面形状とされるものである。
【００４２】
そこで前記下腹部押さえ部４の空間を覆うようにサポート１６が該下腹部押さえ部４内周縁に沿って装着される。このサポート１６は柔軟性があり、かつ通気性の良い繊維生地によって形成されるものであり、更に前記サポート１６の中央前後方向にサポート１６を開くためのジッパー７が取り付けられた構成とするものである。
【００４３】
したがって、芯部材２を着用した場合には、前記サポート１６によって男性の陰部を覆うことになり、小用をする場合にはジッパー７によってサポート１６を開くことで一般のショーツと同様に小用をすることができる。
【００４４】
なお、ショーなどで臀部を露出させるようなドレスを着用する場合には、芯部材２の長さを下腹部から股下を通り肛門が隠れて、芯部材２の他端が外部より見えない程度とすることが望ましいものである。
【００４５】
以上の構成よりなる本発明のショーツでは、図１３（イ）（ロ）で示すように、使用前では芯部材２、あるいは芯部材収納袋体３自体を内側方向へ曲回する弾性力、あるいは記憶形状によって形成することにより小さく丸められた形態となる。
したがって、小さく丸められたショーツ本体１は、例えば透明プラスチック製の容器Ｅ内に収納して携帯用として持ち運ぶ、あるいは商品として店頭に並べることができる。
【００４６】
次に、図１４（イ）（ロ）でそれぞれ示すように着用する場合には、容器Ｂよりショーツ本体１を取り出し、曲回した状態のショーツ本体１を平坦状に伸ばして身体Ｃの下腹部より股下を通して尻まで当てることにより芯部材２、あるいは芯部材収納袋体３の内側方向へ付勢力によって身体Ｃに密着することになる。
【００４７】
このようなショーツ本体１では、図１４（ロ）で示すように、背中から臀部に向けて大きく開いたドレスＤを着用した場合でも従来のショーツのように腰周り部分が露出しないこととなりファション性を損なうことがない。
【００４８】
また、前記ショーツ本体１には宝石などを通した腰紐を付けることによってアクセサリーとしてよりファンション性を高めることが可能となる。
【００４９】
また、長いドレスの着用や着物の着用にあってはトイレでのショーツの取扱いが非常に煩雑となるが、本発明のショーツでは着脱が非常に容易であるためにトイレでの用足しが非常に楽に行うことが可能となる。
【図面の簡単な説明】
【００５０】
【図１】本発明を適用したショーツの一例を説明するための斜視図を示す。
【図２】図１における着用状態を示す説明図である。
【図３】本発明を適用したショーツに腰紐を付ける形態の説明図である。
【図４】本発明を適用したショーツの芯部材がゴム体により形成される場合の説明図である。
【図５】図４における他の形態を示す説明図である。
【図６】本発明を適用した夏用のショーツの一例を説明するための説明図である。
【図７】図６における芯部材の他の形態を示す説明図である。
【図８】本発明を適用したショーツの他の例を示す説明図である。
【図９】本発明を適用したショーツにおいて初心用、あるいは生理用としての芯部材の一例を示す説明図である。
【図１０】図８における使用例を示す説明図である。
【図１１】図９の他の形態を示す説明図である。
【図１２】本発明を適用したショーツにおいて男性用の一例を示す説明図である。
【図１３】本発明を適用したショーツの収納状態を示す説明図である。
【図１４】本発明を適用したショーツの着用例を示す説明図である。
【図１５】従来のショーツの一例を示す説明図である。
【図１６】従来のショーツによる着用例を示す説明図である。
【符号の説明】
【００５１】
１      ショーツ本体
２      芯部材
３      芯部材収納袋体
４      下腹部押さえ部
５      フリル
６      腰紐
７      ジッパー
８      バネ板
１０    リング
１２    空洞部
１３    メッシュ
１４    臀部押さえ部
１５    芯部材挿入口
１６    サポート
【図１】
2008253415.tif 000003
【図２】
2008253415.tif 000004
【図３】
2008253415.tif 000005
【図４】
2008253415.tif 000006
【図５】
2008253415.tif 000007
【図６】
2008253415.tif 000008
【図７】
2008253415.tif 000009
【図８】
2008253415.tif 000010
【図９】
2008253415.tif 000011
【図１０】
2008253415.tif 000012
【図１１】
2008253415.tif 000013
【図１２】
2008253415.tif 000014
【図１３】
2008253415.tif 000015
【図１４】
2008253415.tif 000016
【図１５】
2008253415.tif 000017
【図１６】
2008253415.tif 000018